(57)【要約】【課題】無線端末に異常があるか否かを判定できる異常判定装置、無線システム、異常判定方法及びプログラムを提供する。【解決手段】受信部３１は、無線センサ端末からセンサ情報を受信する。照度取得部３３は、照明器具から照度情報を取得する。異常判定部３５は、受信部３１によるセンサ情報の受信が途絶えている無線センサ端末があるかを判定する。異常判定部３５は、照度情報が示す照度が閾値以上であるにも関わらず受信部３１によるセンサ情報の受信が途絶えている無線センサ端末があるとき、当該無線センサ端末に異常があると判定する。【選択図】図３
2019133245.tif 000002
【特許請求の範囲】
【請求項１】
光エネルギーにより動作する無線端末が送信する情報を受信する受信手段と、
前記無線端末の周辺の照度を示す照度情報を取得する照度取得手段と、
前記照度情報が示す照度が前記無線端末を動作させるのに十分な照度であるにも関わらず前記受信手段による情報の受信が途絶えたときに、前記無線端末に異常があると判定する異常判定手段と、
を備える異常判定装置。
【請求項２】
前記照度取得手段は、照度センサから照度情報を取得する、
請求項１に記載の異常判定装置。
【請求項３】
照明器具を制御する照明制御手段をさらに備え、
前記照度取得手段は、前記照明制御手段による制御内容に基づいて照度情報を取得する、
請求項１に記載の異常判定装置。
【請求項４】
照明器具を制御する照明制御手段と、
前記照度情報が示す照度が前記無線端末を動作させるのに十分な照度でないときに、前記照明制御手段に前記照明器具を制御させて前記無線端末を動作させるのに十分な照度とする検査実行手段と、
をさらに備える請求項１または２に記載の異常判定装置。
【請求項５】
光エネルギーにより動作する無線端末と、
異常判定装置と、
を備え、
前記異常判定装置は、
前記無線端末が送信する情報を受信する受信手段と、
前記無線端末の周辺の照度を示す照度情報を取得する照度取得手段と、
前記照度情報が示す照度が前記無線端末を動作させるのに十分な照度であるにも関わらず前記受信手段による情報の受信が途絶えたときに、前記無線端末に異常があると判定する異常判定手段と、
を備える無線システム。
【請求項６】
光エネルギーにより動作する無線端末から信号を受信できるか否かを判定し、
前記無線端末の周辺の照度が前記無線端末を動作させるのに十分な照度であるにも関わらず前記無線端末から信号を受信できないと判定したときに、前記無線端末に異常があると判定する、
異常判定方法。
【請求項７】
コンピュータを、
光エネルギーにより動作する無線端末が送信する情報を受信する受信手段、
前記無線端末の周辺の照度を示す照度情報を取得する照度取得手段、
前記照度情報が示す照度が前記無線端末を動作させるのに十分な照度であるにも関わらず前記受信手段による情報の受信が途絶えたときに、前記無線端末に異常があると判定する異常判定手段、
として機能させるプログラム。
【発明の詳細な説明】
【技術分野】
【０００１】
本発明は、異常判定装置、無線システム、異常判定方法及びプログラムに関する。
【背景技術】
【０００２】
近年、エネルギーハーベスト技術を用いた、電池なしで動作する無線端末が注目されている。特許文献１には、太陽電池、温度差発電素子、振動発電素子などの環境発電素子によって生み出された電力によって動作する無線センサ端末と受信装置とを備えるセンサネットワークシステムが開示されている。無線センサ端末は、センサによって得られた環境情報を無線通信により受信装置に送信する。
【先行技術文献】
【特許文献】
【０００３】
【特許文献１】特開２０１５−２８４３９号公報
【発明の概要】
【発明が解決しようとする課題】
【０００４】
特許文献１に記載の無線センサ端末において、環境発電素子として太陽電池を用いた場合、無線センサ端末周辺の照度が十分でないときには電力不足により、無線センサ端末は動作しなくなる。一方、無線センサ端末は、故障、回路の設計不良等を原因とする異常が生じたときにも動作しなくなる。
【０００５】
無線センサ端末が動作しなくなったとき、無線センサ端末は環境情報を受信装置に送信できなくなる。したがって、受信装置は、無線センサ端末が動作しているか否かを判定できる。
【０００６】
しかし、特許文献１に記載のセンサネットワークシステムでは、無線センサ端末が動作していないことを検出できても、異常が生じたことが原因で動作しなくなったか否かを判定できない。
【０００７】
本発明の目的は、上記の事情に鑑み、無線端末に異常があるか否かを判定できる異常判定装置、無線システム、異常判定方法及びプログラムを提供することにある。
【課題を解決するための手段】
【０００８】
上記の目的を達成するため、本発明に係る異常判定装置は、
光エネルギーにより動作する無線端末が送信する情報を受信する受信手段と、
前記無線端末の周辺の照度を示す照度情報を取得する照度取得手段と、
前記照度情報が示す照度が前記無線端末を動作させるのに十分な照度であるにも関わらず前記受信手段による情報の受信が途絶えたときに、前記無線端末に異常があると判定する異常判定手段と、
を備える。
【発明の効果】
【０００９】
本発明によれば、無線端末を動作させるのに十分な照度のときに、無線端末が送信する情報の受信が途絶えたか否かを判定することで、無線端末に異常があるか否かを判定できる。
【図面の簡単な説明】
【００１０】
【図１】本発明の実施の形態１に係る無線センサシステムの構成図
【図２】本発明の実施の形態１に係る無線センサ端末の機能的構成図
【図３】本発明の実施の形態１に係る管理装置の機能的構成図
【図４】本発明の実施の形態１に係る管理装置のハードウェア構成の一例を示す図
【図５】本発明の実施の形態１に係る管理装置の異常判定部による異常報知の動作を示すフローチャート
【図６】本発明の実施の形態２に係る無線センサシステムの構成図
【図７】本発明の実施の形態２に係る管理装置の機能的構成図
【図８】本発明の実施の形態３に係る無線センサシステムの構成図
【図９】本発明の実施の形態３に係る管理装置の機能的構成図
【図１０】本発明の実施の形態４に係る管理装置の機能的構成図
【発明を実施するための形態】
【００１１】
以下、図面を参照しながら、本発明の実施の形態に係る無線センサシステムについて説明する。各図面においては、同一又は同等の部分に同一の符号を付す。
【００１２】
（実施の形態１）
図１を参照しながら、実施の形態１に係る無線センサシステム１の構成について説明する。無線センサシステム１は、無線センサ端末１０と、無線ゲートウェイ２０と、管理装置３０と、照明器具４０と、照度センサ５０と、を備える。また、管理装置３０は、設備機器６０と接続されている。設備機器６０は、例えば空調機器、加湿器、換気扇など、室内環境を調整する機器である。
【００１３】
無線センサシステム１は、本発明に係る無線システムの一例である。無線センサシステム１によれば、無線センサ端末１０に異常があるか否かを判定できる。無線センサ端末１０は、本発明に係る無線端末の一例である。管理装置３０は、本発明に係る異常判定装置の一例である。管理装置３０が、無線センサ端末１０に異常があるか否かを判定する。
【００１４】
また、管理装置３０は、無線ゲートウェイ２０を介して、無線センサ端末１０が送信したセンサ情報を受信し、受信したセンサ情報に基づいて照明器具４０及び設備機器６０を制御する。
【００１５】
なお、図１では、無線センサ端末１０、照明器具４０、照度センサ５０、及び設備機器６０を複数示しているが、これらは単数であってもよい。
【００１６】
以下、無線センサシステム１が備える各構成要素について説明する。
【００１７】
無線センサ端末１０は、光エネルギーにより動作する無線端末である。無線センサ端末１０は、環境情報を取得する。無線センサ端末１０は、取得した環境情報を無線通信により無線ゲートウェイ２０に送信する。
【００１８】
図２を参照しながら、無線センサ端末１０の機能的構成を説明する。図２に示すとおり、無線センサ端末１０は、光電変換部１１と、充電回路１２と、センサ部１３と、無線通信部１４と、を備える。
【００１９】
光電変換部１１は、無線センサ端末１０周囲の光エネルギーを電力に変換し出力する。光電変換部１１は、例えば太陽電池を備える。太陽電池により、光エネルギーが電力に変換される。また、後述する、センサ部１３による環境情報の取得及び無線通信部１４による無線通信のために十分な電力が得られるものであれば、太陽電池の代わりに他の光電変換素子を採用してもよい。
【００２０】
充電回路１２は、光電変換部１１が出力した電力を充電する。充電回路１２が充電した電力は、センサ部１３による環境情報の取得及び無線通信部１４による無線通信により使用される。充電回路１２は、例えばコンデンサを備える。コンデンサにより、光電変換部１１が出力した電力を充電する。また、コンデンサの代わりに二次電池を採用してもよい。
【００２１】
無線センサ端末１０周辺の照度が小さい場合、充電回路１２に充電される電力よりもセンサ部１３及び無線通信部１４の動作に必要な電力のほうが大きくなるため、無線センサ端末１０は動作できなくなる。
【００２２】
センサ部１３は、温度センサ、湿度センサ、気圧センサ、人感センサなどの環境センサを備える。センサ部１３は、環境センサが出力した信号に基づいて環境情報を生成し、無線通信部１４に送信する。センサ部１３は、充電回路１２から、動作に必要な電力を取得する。
【００２３】
無線通信部１４は、センサ部１３から取得した環境情報及び無線センサ端末１０を識別するための識別情報を含むセンサ情報を無線信号に重畳し、無線通信により無線ゲートウェイ２０に送信する。無線通信は、例えば１０秒間隔、１分間隔など、定期的に行う。なお、無線センサ端末１０による無線通信が途絶えているか否かを後述の管理装置３０が判定できるのであれば、通信のタイミングは等間隔でなくてもかまわない。例えば、充電回路１２に充電されている電力の残量が少ないときには間隔を長くしてもよい。
【００２４】
無線通信部１４は、例えば、EnOcean（登録商標）、BLE（Bluetooth（登録商標） Low Energy）など、消費電力の低い無線通信方式により無線通信を行う。なお、充電回路１２から取得する電力が十分であれば、他の無線通信方式であってもよい。また、赤外線通信、音波通信など、電波以外による無線通信方式であってもよい。
【００２５】
無線センサ端末１０を識別するための識別情報とは、例えば無線センサ端末１０の製造時に個別に設定された製造番号である。識別情報は、例えば無線センサ端末１０の製造時に、無線センサ端末１０に設けられたROM（Read-Only Memory）に書き込まれる。無線通信部１４は、当該ROMから識別情報を読み込む。
【００２６】
無線センサ端末１０の各機能は、例えば、ASIC（Application Specific Integrated Circuit: 特定用途向け集積回路）、FPGA（Field Programmable Gate Array）、FPAA（Field Programmable Analog Array）などを用いた専用回路により実現される。また、無線センサ端末１０の機能の一部を、低消費電力で動作するマイクロコントローラにより実現してもよい。
【００２７】
再び図１を参照する。無線ゲートウェイ２０は、管理装置３０と接続されている。無線ゲートウェイ２０は、無線通信により無線センサ端末１０からセンサ情報を受信する。無線ゲートウェイ２０は、無線センサ端末１０から受信したセンサ情報を管理装置３０に送信する。つまり、無線ゲートウェイ２０は、無線センサ端末１０が送信したセンサ情報を管理装置３０に転送する。
【００２８】
無線ゲートウェイ２０と管理装置３０との通信経路は、例えばLAN（Local Area Network）ケーブル、USB（Universal Serial Bus）ケーブルなどを用いた有線通信により構築されている。なお、安定した通信ができるのであれば、無線通信によって無線ゲートウェイ２０と管理装置３０との通信経路を構築してもよい。
【００２９】
無線ゲートウェイ２０は、安定した無線通信をするために、無線センサ端末１０と同一の室内に設置されていることが好ましい。一方、無線ゲートウェイ２０と管理装置３０とは、必ずしも同一の室内に設置されていなくてもよい。
【００３０】
管理装置３０は、無線ゲートウェイ２０、照明器具４０、照度センサ５０及び設備機器６０と接続されている。管理装置３０は、無線ゲートウェイ２０から、無線センサ端末１０が送信したセンサ情報を受信する。管理装置３０は、受信したセンサ情報に基づいて、照明器具４０及び設備機器６０を制御する。管理装置３０は、無線センサ端末１０に異常があるか否かを判定し、異常がある場合にはその旨を報知する。
【００３１】
管理装置３０と、照明器具４０、照度センサ５０及び設備機器６０とは、例えば電気機器間の通信に用いられる専用の通信線により接続されている。
【００３２】
図３を参照しながら、管理装置３０の機能的構成を説明する。図３に示すとおり、管理装置３０は、受信部３１と、機器通信部３２と、照度取得部３３と、機器制御部３４と、異常判定部３５と、報知部３６と、を備える。
【００３３】
受信部３１は、無線ゲートウェイ２０から、無線センサ端末１０が送信したセンサ情報を受信する。つまり、受信部３１は、無線ゲートウェイ２０を介して、無線センサ端末１０が送信したセンサ情報を受信する。受信部３１は、センサ情報を機器制御部３４に送信する。受信部３１は、センサ情報に含まれる識別情報を異常判定部３５に送信する。受信部３１は、本発明に係る受信手段の一例である。
【００３４】
機器通信部３２は、照明器具４０、照度センサ５０及び設備機器６０との通信を行う。機器通信部３２は、機器制御部３４から受信した制御情報を照明器具４０及び設備機器６０に送信する。機器通信部３２は、照度センサ５０から受信した照度情報を照度取得部３３に送信する。
【００３５】
照度取得部３３は、機器通信部３２を介して、照度センサ５０から照度情報を取得する。照度情報とは、照度センサ５０が検出した照度を示す情報である。つまり、照度センサ５０の設置位置周辺の照度を示す情報である。照度取得部３３は、取得した照度情報を異常判定部３５に送信する。照度取得部３３は、本発明に係る照度取得手段の一例である。
【００３６】
なお、無線センサシステム１が複数の照度センサ５０を備える場合、例えば、全ての照度センサ５０から取得した照度の平均値を照度情報として異常判定部３５に送信してもよいし、全ての照度センサ５０から取得した照度のうち最も小さい値あるいは最も大きい値を、照度情報として異常判定部３５に送信してもよい。無線センサ端末１０の設置位置、照度センサ５０の設置位置などに応じて最も好ましいものを選択すればよい。
【００３７】
機器制御部３４は、受信部３１からセンサ情報を受信する。機器制御部３４は、受信したセンサ情報に含まれる環境情報に基づいて、照明器具４０及び設備機器６０を制御するための制御情報を作成する。機器制御部３４は、機器通信部３２を介して、制御情報を照明器具４０及び設備機器６０に送信することにより、照明器具４０及び設備機器６０を制御する。
【００３８】
機器制御部３４は、受信したセンサ情報に含まれる環境情報に応じて、照明器具４０及び設備機器６０を制御することにより室内環境を調整する。例えば、環境情報が、室内の湿度が低いことを示す情報であったとき、機器制御部３４は、設備機器６０である加湿器を制御することにより室内の加湿を行う。また、例えば、環境情報が、室内に人が存在しないことを示す情報であったとき、機器制御部３４は、照明器具４０を制御し、照明器具４０の消灯を行う。
【００３９】
異常判定部３５は、受信部３１から、センサ情報に含まれる識別情報を受信する。異常判定部３５は、受信した識別情報に基づいて、無線センサシステム１に設けられた無線センサ端末１０のうち、受信部３１によるセンサ情報の受信が途絶えている無線センサ端末１０を特定する。異常判定部３５は、照度取得部３３から照度情報を取得する。異常判定部３５は、取得した照度情報に基づいて、前述の特定した無線センサ端末１０に異常があるか否かを判定する。異常判定部３５は、特定した無線センサ端末１０に異常があると判定したとき、当該無線センサ端末１０を示す識別情報を報知部３６に送信する。
【００４０】
センサ情報の受信が途絶えている無線センサ端末１０の特定及び異常があるか否かの判定については動作の説明の際に後述する。異常判定部３５は、本発明に係る異常判定手段の一例である。
【００４１】
報知部３６は、異常判定部３５から、異常があると判定された無線センサ端末１０を示す識別情報を受信する。報知部３６は、受信した識別情報に基づいて、当該無線センサ端末１０に異常がある旨をユーザに報知する。
【００４２】
報知部３６は、例えば、液晶ディスプレイ、ブラウン管ディスプレイなどの図示しない表示器と接続されている。報知部３６は、当該無線センサ端末１０に異常がある旨を表示器に表示させることにより、異常がある旨をユーザに報知する。
【００４３】
管理装置３０のハードウェア構成の一例について、図４を参照しながら説明する。図４に示す管理装置３０は、例えばパーソナルコンピュータ、マイクロコントローラなどのコンピュータにより実現される。
【００４４】
管理装置３０は、バス１０００を介して互いに接続された、プロセッサ１００１と、メモリ１００２と、インタフェース１００３と、二次記憶装置１００４と、を備える。
【００４５】
プロセッサ１００１は、例えばCPU（Central Processing Unit: 中央演算装置）である。プロセッサ１００１が、二次記憶装置１００４に記憶された専用プログラムをメモリ１００２に読み込んで実行することにより、管理装置３０の各機能が実現される。
【００４６】
メモリ１００２は、例えば、RAM（Random Access Memory）により構成される主記憶装置である。メモリ１００２は、プロセッサ１００１が二次記憶装置１００４から読み込んだ専用プログラムを記憶する。また、メモリ１００２は、プロセッサ１００１が専用プログラムを実行する際のワークメモリとして機能する。
【００４７】
インタフェース１００３は、例えばネットワークインタフェース、I/O（Input/Output）ポートである。無線ゲートウェイ２０と接続されたインタフェース１００３が受信部３１として機能し、照明器具４０、照度センサ５０及び設備機器６０と接続されたインタフェース１００３が機器通信部３２として機能し、表示器と接続されたインタフェース１００３が報知部３６として機能する。
【００４８】
二次記憶装置１００４は、例えば、フラッシュメモリ、HDD（Hard Disk Drive）、SSD（Solid State Drive）である。二次記憶装置１００４は、プロセッサ１００１が実行する専用プログラムを記憶する。
【００４９】
図４に示すハードウェア構成においては、管理装置３０が二次記憶装置１００４を備えている。しかし、これに限らず、二次記憶装置１００４を管理装置３０の外部に設け、インタフェース１００３を介して管理装置３０と二次記憶装置１００４とが接続される形態としてもよい。この形態においては、USBメモリ、メモリカードなどのリムーバブルメディアも二次記憶装置１００４として使用可能である。
【００５０】
また、図４に示すハードウェア構成に代えて、管理装置３０の各機能をASIC、FPGAなどを用いた専用回路により構成してもよい。また、図４に示すハードウェア構成において、管理装置３０の機能の一部を、例えばインタフェース１００３に接続されたASIC、FPGAなどを用いた専用回路により実現してもよい。
【００５１】
再び図１を参照する。照明器具４０と無線センサ端末１０とは、同一の室内に設置されている。照明器具４０は、管理装置３０の制御に応じて、点灯、消灯、明るさの変更などを行う。照明器具４０から発せられる光エネルギーが、無線センサ端末１０を動作させるためのエネルギーとなる。
【００５２】
照度センサ５０は、無線センサ端末１０が設置された室内と同一の室内に設置されている。照度センサ５０は、自身の周辺の照度を検出し、照度を示す照度情報を管理装置３０に送信する。
【００５３】
設備機器６０と無線センサ端末１０とは、同一の室内に設置されている。設備機器６０は、管理装置３０の制御に応じた動作を行う。これは、無線センサ端末１０が取得した環境情報に応じた動作を行う、ともいえる。
【００５４】
以上、無線センサシステム１が備える各構成要素について説明した。次に、図５を参照しながら、管理装置３０の異常判定部３５による異常報知の動作を説明する。
【００５５】
まず、異常判定部３５は、受信部３１によるセンサ情報の受信が途絶えている無線センサ端末１０があるかを判定する（ステップＳ１）。センサ情報の受信が途絶えていることの判定は、例えば、特定の無線センサ端末１０を示す識別情報が一定期間以上受信部３１から受信できないことにより判定する。一定期間とは、無線センサ端末１０がセンサ情報を送信する間隔より長い期間であり、例えば５分間である。この動作は、無線センサ端末１０から信号を受信できないことを判定する、ともいえる。
【００５６】
受信が途絶えている無線センサ端末１０がない場合（ステップＳ１：Ｎｏ）、ステップＳ１の動作に戻る。つまり、受信が途絶えている無線センサ端末１０が現れるまでステップＳ１の動作を繰り返す。
【００５７】
受信が途絶えている無線センサ端末１０がある場合（ステップＳ１：Ｙｅｓ）、異常判定部３５は、受信が途絶えている無線センサ端末１０のうち１つを選択する（ステップＳ２）。無線センサ端末１０の選択は、例えば識別情報に基づいて行う。
【００５８】
次に、異常判定部３５は、照度取得部３３から照度情報を取得し、照度が閾値以上かを判定する（ステップＳ３）。閾値としては、選択した無線センサ端末１０が動作するのに十分な照度値が使用される。この動作は、当該無線センサ端末１０の周辺の照度が当該無線センサ端末１０を動作させるのに十分な照度であるか否かを判定する、ともいえる。
【００５９】
照度が閾値以上でない場合（ステップＳ３：Ｎｏ）、受信が途絶えた原因が照度不足か当該無線センサ端末１０の異常か不明なため、異常判定部３５は、ステップＳ４及びステップＳ５の動作を飛ばしてステップＳ６以降の動作を行う。
【００６０】
照度が閾値以上である場合（ステップＳ３：Ｙｅｓ）、受信が途絶えた原因が照度不足ではないといえるため、異常判定部３５は、当該無線センサ端末１０に異常があると判定する（ステップＳ４）。そして、異常判定部３５は、当該無線センサ端末１０を示す識別情報を報知部３６に送信することにより、当該無線センサ端末１０に異常がある旨を報知する（ステップＳ５）。
【００６１】
ステップＳ２にて選択されていない無線センサ端末１０がまだある場合（ステップＳ６：Ｙｅｓ）、ステップＳ２による無線センサ端末１０の選択からの動作の流れを繰り返す。ステップＳ２にて選択されていない無線センサ端末１０がもうない場合（ステップＳ６：Ｎｏ）、ステップＳ１からの動作の流れを繰り返す。なお、この際、再びステップＳ２で無線センサ端末１０を選択するときには、以前に選択された無線センサ端末１０も再び選択対象となる。
【００６２】
以上、異常判定部３５による異常報知の動作の流れについて説明した。まとめると、異常判定部３５は、照度取得部３３から取得した照度情報が示す照度が無線センサ端末１０を動作させるのに十分な照度であるにも関わらず受信部３１によるセンサ情報の受信が途絶えたときに、当該無線センサ端末１０に異常があると判定する。
【００６３】
なお、上記の動作の説明においては、先に受信が途絶えている無線センサ端末１０があるかを判定してから、照度が閾値以上かを判定しているが、先に照度が閾値以上かを判定してもよい。この場合、閾値としては、例えば、全ての無線センサ端末１０が動作するのに十分な照度値を使用する。
【００６４】
以上、実施の形態１に係る無線センサシステム１について説明した。無線センサシステム１によれば、無線センサ端末１０を動作させるのに十分な照度のときに、無線センサ端末１０が送信するセンサ情報の受信が途絶えたか否かを判定することで、無線センサ端末１０に異常があるか否かを判定できる。
【００６５】
（実施の形態２）
図６を参照しながら、実施の形態２に係る無線センサシステム１Ｂについて説明する。実施の形態１と同一の符号を用いている構成要素については実施の形態１と同様であるため説明を省略する。また、異常判定部３５の動作についても実施の形態１と同様であるため説明を省略する。
【００６６】
無線センサシステム１Ｂは、実施の形態１に係る無線センサシステム１と異なり、照度センサ５０を備えていない。また、無線センサシステム１Ｂは、管理装置３０に代えて管理装置３０Ｂを備える。無線センサシステム１Ｂは、照度センサを用いずに照度を取得し、無線センサ端末１０に異常があるかを判定する。
【００６７】
図７を参照しながら、管理装置３０Ｂの構成について説明する。管理装置３０Ｂは、照度取得部３３に代えて照度取得部３３Ｂを備え、機器制御部３４に代えて機器制御部３４Ｂを備える。
【００６８】
機器制御部３４Ｂは、機器制御部３４の機能に加え、照明器具４０に対する制御内容を示す情報を照度取得部３３Ｂに送信する機能を有する。機器制御部３４Ｂは、本発明に係る照明制御手段の一例である。
【００６９】
照度取得部３３Ｂは、機器制御部３４Ｂから、照明器具４０に対する制御内容を示す情報を受信する。照度取得部３３Ｂは、照明器具４０に対する制御内容に基づいて照度を取得する。照明器具４０に対する制御内容とは、例えば、照明器具４０に設定する明るさである。この場合、照度取得部３３Ｂは、明るさに基づいて照度を推測することにより、照度を取得する。
【００７０】
以上、実施の形態２に係る無線センサシステム１Ｂ及び管理装置３０Ｂについて説明した。管理装置３０Ｂは、機器制御部３４Ｂ及び照度取得部３３Ｂにより、照度センサがなくとも照度を取得できる。そのため、無線センサシステム１Ｂによれば、無線センサシステム１と同様に、無線センサ端末１０に異常があるかを判定できる。
【００７１】
（実施の形態３）
図８を参照しながら、実施の形態３に係る無線センサシステム１Ｃについて説明する。実施の形態１と同一の符号を用いている構成要素については実施の形態１と同様であるため説明を省略する。また、異常判定部３５の動作についても実施の形態１と同様であるため説明を省略する。
【００７２】
実施の形態１に係る無線センサシステム１においては、例えば、照度センサ５０が照明器具４０の近くに設置され、無線センサ端末１０が物陰に設置されている場合、照度センサ５０が検出する照度が無線センサ端末１０周辺の実際の照度より大きくなりうる。そのため、異常判定部３５による異常判定において、実際には照度不足であるにも関わらず、無線センサ端末１０に異常があると判定されるおそれがある。また、逆に、照度センサ５０が物陰に設置され、無線センサ端末１０が照明器具４０の近くに設置されている場合、実際には無線センサ端末１０に異常があるにも関わらず、照度不足と判定されるおそれがある。実施の形態３に係る無線センサシステム１Ｃでは、この問題を解消する。
【００７３】
無線センサシステム１Ｃは、管理装置３０に代えて管理装置３０Ｃを備える。また、無線センサ端末１０は、１つの照度センサ５０と関連付けられている。図８の点線で囲う部分が、無線センサ端末１０と照度センサ５０とが関連付けられていることを示す。関連付けについては後述する。また、無線センサ端末１０は、関連付けられた照度センサ５０の近辺に設置されることが好ましい。
【００７４】
図９を参照しながら、管理装置３０Ｃの構成について説明する。管理装置３０Ｃは、関連付け設定部３７Ｃをさらに備える。また、管理装置３０Ｃは、照度取得部３３に代えて照度取得部３３Ｃを備え、異常判定部３５に代えて異常判定部３５Ｃを備える。
【００７５】
異常判定部３５Ｃは、異常判定部３５の機能に加え、無線センサ端末１０を示す識別情報を照度取得部３３Ｃに送信する。また、異常判定部３５Ｃは、送信した識別情報に対応する無線センサ端末１０と関連付けられた照度センサ５０についての照度情報を、照度取得部３３Ｃから受信する。異常判定部３５Ｃは、照度取得部３３Ｃから受信した照度情報を使用して異常判定を行う。
【００７６】
照度取得部３３Ｃは、照度取得部３３の機能に代えて、異常判定部３５Ｃから識別情報を受信し、受信した識別情報に対応する無線センサ端末１０と関連付けられた照度センサ５０についての照度情報を異常判定部３５Ｃに送信する。また、照度取得部３３Ｃは、関連付け設定部３７Ｃから関連付け情報を受信し、これを参照することにより、無線センサ端末１０と関連付けられた照度センサ５０を特定することができる。
【００７７】
関連付け設定部３７Ｃは、ユーザの入力に基づいて、無線センサ端末１０と照度センサ５０とを関連付け、関連付け情報を照度取得部３３Ｃに送信する。関連付け設定部３７Ｃは、例えば図示しないタッチパネルと接続され、タッチパネルを介してユーザの入力情報を受信する。
【００７８】
ユーザは、例えば、無線センサ端末１０の製造番号及び照度センサ５０の製造番号をタッチパネルによって入力することにより、無線センサ端末１０と照度センサ５０とを関連付ける。無線センサ端末１０と関連付けられる照度センサ５０は、無線センサ端末１０の近くに設置されたものであることが好ましい。
【００７９】
また、関連付け設定部３７Ｃは、タッチパネルに無線センサ端末１０が設置される室内の間取り図を表示させることにより、無線センサ端末１０及び照度センサ５０の設置位置及び製造番号をユーザに入力させることにより、照度センサ５０の近くに設置された無線センサ端末１０を自動的に当該照度センサ５０と関連付けてもよい。
【００８０】
以上、実施の形態３に係る無線センサシステム１Ｃ及び管理装置３０Ｃについて説明した。管理装置３０Ｃは、照度取得部３３Ｃ、異常判定部３５Ｃ及び関連付け設定部３７Ｃにより、無線センサ端末１０の近くに設置された照度センサ５０から取得した照度情報を異常判定に使用することができる。そのため、実施の形態１と比較して、異常判定の精度が改善する。
【００８１】
（実施の形態４）
図１０を参照しながら、実施の形態４に係る管理装置３０Ｄについて説明する。実施の形態４に係る無線センサシステムは、管理装置３０に代えて管理装置３０Ｄを備える点以外は実施の形態１に係る無線センサシステム１と同様であるため、図示及び説明を省略する。また、実施の形態１と同一の符号を用いている構成要素については実施の形態１と同様であるため説明を省略する。また、異常判定部３５の動作についても実施の形態１と同様であるため説明を省略する。
【００８２】
管理装置３０Ｄは、検査実行部３８Ｄをさらに備える。また、管理装置３０Ｄは、照度取得部３３に代えて照度取得部３３Ｄを備え、機器制御部３４に代えて機器制御部３４Ｄを備える。
【００８３】
照度取得部３３Ｄは、照度取得部３３の機能に加え、照度情報を検査実行部３８Ｄに送信する。
【００８４】
機器制御部３４Ｄは、機器制御部３４の機能に加え、検査実行部３８Ｄの要求に応じて照明器具４０を制御する。機器制御部３４Ｄは、本発明に係る照明制御手段の一例である。
【００８５】
検査実行部３８Ｄは、照度取得部３３Ｄから照度情報を受信する。検査実行部３８Ｄは、照度が無線センサ端末１０を動作させるのに十分でないと判定した場合、機器制御部３４Ｄに、照明器具４０を点灯させ、照度を十分に大きくすることを要求する。この要求は、例えば毎日深夜に１度行う。検査実行部３８Ｄは、本発明に係る検査実行手段の一例である。
【００８６】
機器制御部３４Ｄが、検査実行部３８Ｄの要求に応じて照明器具４０を点灯させ、無線センサ端末１０を動作させるのに十分な照度とすることにより、強制的に無線センサ端末１０周辺の照度を大きくさせ、異常判定部３５による異常判定を行うことができる。つまり、検査実行部３８Ｄにより、無線センサ端末１０の検査を実行することができる。
【００８７】
以上、実施の形態４に係る管理装置３０Ｄについて説明した。管理装置３０Ｄによれば、強制的に照度を大きくすることにより、無線センサ端末１０の検査を実行することができる。
【００８８】
（変形例）
実施の形態１において、照明器具４０を管理装置３０により制御しているが、照明器具４０が管理装置３０から独立した形態であってもよい。つまり、無線センサシステム１が照明器具を備えない形態であってもよい。この形態においても、管理装置３０は照度センサ５０から照度情報を取得できるため、異常判定を行うことができる。
【００８９】
また、実施の形態２において、無線センサシステム１Ｂは照度センサ５０を備えないものとしたが、照度センサ５０を備える形態としてもよい。この場合、照度取得部３３Ｂは、機器通信部３２を介して照度センサ５０からも照度情報を受信する。そして、状況に応じて、照度センサ５０から受信した照度情報を使用して異常判定を行ってもよいし、機器制御部３４から受信した制御内容に基づいて取得した照度情報を使用して異常判定を行ってもよい。例えば、太陽光が入射する時間帯においては照度センサ５０から受信した照度情報を使用し、その他の時間帯においては機器制御部３４から受信した制御内容に基づいた照度情報を使用する。
【００９０】
また、上述の実施の形態及び変形例を適切に複数組み合わせた形態としてもよい。例えば、実施の形態３と実施の形態４とを組み合わせることにより、無線センサ端末１０と照度センサ５０とを関連付けしつつ、検査を実行することができる。
【符号の説明】
【００９１】
１、１Ｂ、１Ｃ  無線センサシステム、１０  無線センサ端末、１１  光電変換部、１２  充電回路、１３  センサ部、１４  無線通信部、２０  無線ゲートウェイ、３０、３０Ｂ、３０Ｃ、３０Ｄ  管理装置、３１  受信部、３２  機器通信部、３３、３３Ｂ、３３Ｃ、３３Ｄ  照度取得部、３４、３４Ｂ、３４Ｃ  機器制御部、３５、３５Ｃ  異常判定部、３６  報知部、３７Ｃ  関連付け設定部、３８Ｄ  検査実行部、４０  照明器具、５０  照度センサ、６０  設備機器、１０００  バス、１００１  プロセッサ、１００２  メモリ、１００３  インタフェース、１００４  二次記憶装置。
【図１】
2019133245.tif 000003
【図２】
2019133245.tif 000004
【図３】
2019133245.tif 000005
【図４】
2019133245.tif 000006
【図５】
2019133245.tif 000007
【図６】
2019133245.tif 000008
【図７】
2019133245.tif 000009
【図８】
2019133245.tif 000010
【図９】
2019133245.tif 000011
【図１０】
2019133245.tif 000012